(57)【要約】【課題】外通し竿でありながら、装着するリールの種類に関わらず、釣竿の使用態様を任意に設定できる釣竿を提供する。【解決手段】この釣竿の元竿１は、リールシート５及びリールシート５と周方向を同一にする周面に於いてリールシート５の穂先側に形成された第１釣糸挿通孔６を有する。元竿１の穂先側に連結される元上竿２は、周面に設けられた釣糸ガイド８，及び釣糸ガイド８と周方向を同一にする周面に於いて釣糸ガイド８の竿元側に形成された第２釣糸挿通孔７を有する。【選択図】      図１
2004173562.tif 000002
【特許請求の範囲】
【請求項１】
魚釣りに用いる釣竿であって、
周面に設けられたリールシート，及び前記リールシートと周方向を同一にする周面に於いて前記リールシートの穂先側に形成された第１釣糸挿通孔を有する第１竿体と、
前記第１竿体の穂先側に連結され、周面に設けられた釣糸ガイド，及び前記釣糸ガイドと周方向を同一にする周面に於いて前記釣糸ガイドの竿元側に形成された第２釣糸挿通孔を有する第２竿体と、
を備える釣竿。
【請求項２】
前記第２竿体の竿元側端部に脱着自在に装着される底栓をさらに備え、
前記底栓は、軸方向に貫通する釣糸通路を有し、前記釣糸通路の竿元側端部端縁に装着された硬質リングを有している、請求項１に記載の釣竿。
【請求項３】
前記第１釣糸挿通孔及び前記第２釣糸挿通孔の周縁に装着された硬質リングをさらに有している、請求項１又は２に記載の釣竿。
【発明の詳細な説明】
【０００１】
【発明の属する技術分野】
本発明は、魚釣りに用いる釣竿に関する。
【０００２】
【従来の技術】
一般に、リールを装着して用いる釣竿は、複数の先細り筒状体である竿体を複数本連結して一本の釣竿となっている。このような竿体の中で最も竿元側に位置する元竿等の周面にリールを脱着自在に装着可能なリールシートが取り付けられている。また、各竿体の周面には軸方向に間隔を隔てて複数の釣糸ガイドが装着されている。そして、リールシートにリールを取り付け、リールからの釣糸を順次各釣糸ガイドを挿通させて、穂先側に導く。
【０００３】
この場合、スピニングリールをリールシートに装着する場合には、リールシート及び各釣糸ガイドを地面方向に向けて、釣竿は用いられる。一方、両軸リールなどをリールシートに装着する場合には、リールシート及び各釣糸ガイドを上空方向に向けて、釣竿は用いられることになる。
釣糸ガイドを上空方法・地面方向の何れに向けるかは釣人の好みではあるが、装着するリールの種類によって使用態様が異なるのを快しとしない釣人も多い。
例えば、両軸リール等リールシートなどを上空方向に向けて釣竿を利用する場合、釣糸が釣糸ガイド間で垂れて竿体周面に接触したり、濡れた釣糸が竿体周面にべた付いてしまったりする場合があるので、両軸リールを用いつつも、釣糸ガイドを地面方向に向けた状態で釣竿を使用したいという要求もある。
【０００４】
ところで、釣竿には、上述のようないわゆる外通し竿の他に、竿体内部を釣糸が挿通する中通し竿と呼ばれるタイプのものもある。この中通し竿は釣糸ガイドを有さないので、リールシートの周方向位置は装着するリールの種類によって異なるが、釣糸ガイドの位置に関しては使用態様が異なるという問題はない。そこで、状況に応じて釣人が任意の状況で釣竿を利用できるように、１つの釣竿で、外通し竿・中通し竿の何れとしても使用できるような釣竿も提供されている（例えば、特許文献１参照）。
【０００５】
【特許文献１】
特開平１０―３２７７１４号公報（図１等）
【０００６】
【発明が解決しようとする課題】
しかし、中通し竿は釣糸と共に竿体内部に水が溜まり、釣糸の出し入れが不安定になる等の問題もあり、中通し竿を欲しない釣人も多い。あくまでも、釣糸ガイドを有する外通し竿でありながら、使用態様を任意に設定して釣りを行えるような釣竿が求められている。
【０００７】
本発明の課題は、外通し竿でありながら、装着するリールの種類に関わらず、釣竿の使用態様を任意に設定できる釣竿を提供することにある。
【０００８】
【課題を解決するための手段】
発明１の釣竿は、魚釣りに用いる釣竿であって、周面に設けられたリールシート，及びリールシートと周方向を同一にする周面に於いてリールシートの穂先側に形成された第１釣糸挿通孔を有する第１竿体と、第１竿体の穂先側に連結され、周面に設けられた釣糸ガイド，及び釣糸ガイドと周方向を同一にする周面に於いて釣糸ガイドの竿元側に形成された第２釣糸挿通孔を有する第２竿体とを備える。
【０００９】
リールシートに両軸リールなどを装着する場合には、第１竿体はそのリールシート側を上空方向に向けて配置される。一方、第２竿体は釣糸ガイドを地面方向に向けて、第１竿体の穂先側に連結される。そして、リールからの釣糸を第１竿体の第１釣糸挿通孔に導入し、第１竿体内から第２竿体内へ導き、第２竿体の第２釣糸挿通孔から外部に導出し、釣糸ガイドへと導く。このような態様で釣竿を利用すると、釣糸ガイドを地面方向に向けた状態で釣りを行うことができる。
【００１０】
一方、リールシートにスピニングリールを装着する場合には、第１竿体はそのリールシート側を地面方向に向けて配置される。一方、第２竿体も釣糸ガイドを地面方向に向けて、第１竿体の穂先側に連結される。そして、リールからの釣糸を直接第２竿体の釣糸ガイドへと導く。
発明２の釣竿は、発明１の釣竿であって、第２竿体の竿元側端部に脱着自在に装着される底栓をさらに備えている。この底栓は、軸方向に貫通する釣糸通路を有し、釣糸通路の竿元側端部端縁に装着された硬質リングを有している。
【００１１】
第２竿体の底栓が、第１竿体の第１釣糸挿通孔から第１竿体内に挿入された釣糸を円滑に第２竿体内へ案内する。また、この硬質リングが底栓と釣糸との摩耗を抑える。
発明３の釣竿は、発明１又は２の釣竿であって、第１釣糸挿通孔及び第２釣糸挿通孔の周縁に装着された硬質リングをさらに有している。
【００１２】
この硬質リングが第１釣糸挿通孔及び第２釣糸挿通孔の周縁と釣糸との摩耗を回避する。
【００１３】
【発明の実施の形態】
［第１実施形態］
本発明の第１実施形態について、図面を参照しつつ説明する。
この釣竿は、図１に示すように、元竿１と、元竿１の穂先側に連結される元上竿２と、元上竿２の穂先側に連結される穂先竿３との３本の釣竿から構成されている。各竿体は、それぞれ炭素繊維やガラス繊維などの強化繊維にエポキシ樹脂等の合成樹脂を含浸させたプリプレグ素材からなる先細り筒状部材である。これらの各竿体はいわゆる並継形式で連結されており、穂先側に位置する竿体の竿元側端部を竿元側に位置する竿体の穂先側に挿入して嵌着し連結固定可能である。
【００１４】
なお、この実施形態では、３本の竿体から釣竿を構成するが、その本数はこれに限定されるものではない。
元竿１は、最も太径で竿元側に位置する竿体である。図２及び図３に示すように、竿元側端部に脱着自在に尻栓４が螺合している。また、軸方向中央付近の周面にはリールシート５が装着されており、このリールシート５の穂先側の周面には、リールシート５と周方向を同一にして第１釣糸挿通孔６が形成されている。
【００１５】
尻栓４は、元竿１の竿元側端部内周面に直接形成し若しくは別途部材を装着することによって形成されるナット部分に螺合する栓である。
リールシート５は、固定フード，軸方向にスライド移動可能な移動フード及び移動フードを一定の場所で固定する固定機構を有する部分である。各種のリールの脚部を固定フードと移動フードとで挟持して固定する。このリールシート５は別途形成したものを巻糸などで元竿１の周面に固定しても良く、パイプ状に別途形成したものを元竿１の周面に一体的に固定しても良い。
【００１６】
第１釣糸挿通孔６は、例えば、元竿１の軸方向に長径の楕円型や矩形型などの孔である。その周縁に沿ってリング状に形成されたセラミックスなどから構成される硬質リング１０をはめ込んで固定しても良い。
元上竿２は、元竿１の穂先側に並継形式に連結される先細り筒状体である。よって、元竿１と元上竿２とはその周方向を任意に設定して相互に連結固定可能である。竿元側端部に脱着自在に底栓２０が螺合している。また、その周面には複数の釣糸ガイド８が軸方向に間隔を隔てて装着されており、この釣糸ガイド８の中で最も竿元側に位置するものの竿元側の周面には、釣糸ガイド８と周方向を同一にして第２釣糸挿通孔７が形成されている。
【００１７】
底栓２０は、元上竿２の竿元側端部内周面に直接形成し若しくは別途部材を装着することによって形成されるナット部分に螺合する栓である。その径方向中央付近を軸方向に貫通する釣糸通路が形成されており、釣糸通路の竿元側端部端縁には、セラミックスなどの硬質部材から形成された硬質リングが装着される。
釣糸ガイド８は、元上竿２の周面に固定される固定部分と、固定部分より起立するフレームと、フレームにはめ込まれたガイドリングとからなる。ガイドリングは元上竿２の軸方向に貫通しており、ここを釣糸Ｌが挿通する。なお、この釣糸ガイド８は、この実施形態においては、元上竿２の所定の位置に予め固定されている固定式ガイドとしている。しかし、元上竿２の周面上を軸方向にスライド移動可能であり、且つ、所定の軸方向位置に固定可能なスライドガイドとしても良い。
【００１８】
第２釣糸挿通孔７も、上述の第１釣糸挿通孔６と同様に、元上竿２の軸方向に長径の楕円型や矩形型などの孔である。その周縁に沿ってリング状に形成されたセラミックスなどから構成される硬質リング１１をはめ込んで固定しても良い。
穂先竿３は、元上竿２の穂先側に並継形式に連結される先細り筒状体である。
その周面には複数の釣糸ガイド８が軸方向に間隔を隔てて装着されており、穂先側端部にはトップガイド９が装着されている。この釣糸ガイド８は上述の元上竿２に於けるものと同種であり、その説明を省略する。トップガイド９は穂先竿３の穂先側端部に装着されるガイド部材であり、釣糸ガイド８と同様にガイドリングを有し、このガイドリングを釣糸Ｌが挿通する。
【００１９】
このような釣竿においては、リールシート５に装着するリールの種類に応じて、以下のように使い分けることができる。
まず、図２に示すように、リールシート５に両軸リールＲ１などを装着する場合には、元竿１はそのリールシート５側を上空方向に向けて配置される。一方、元上竿２は釣糸ガイド８を地面方向に向けた状態にして、元上竿２と元竿１とが並継形式で連結される。この場合、釣人は、両軸リールＲ１からの釣糸Ｌを元竿１の第１釣糸挿通孔６に導入し、元竿１から尻栓２０を介して元上竿２内へ導き、元上竿２の第２釣糸挿通孔７から外部に導出し、釣糸ガイド８へと導く。このような態様で釣竿を利用すると、釣糸ガイド８を地面方向に向けた状態で釣りを行うことができる。
【００２０】
また、図３に示すように、リールシート５にスピニングリールＲ２を装着する場合には、元竿１はそのリールシート５側を地面方向に向けて配置される。一方、元上竿２も釣糸ガイド８を地面方向に向けた状態にして、元上竿２と元竿１とが並継形式で連結される。この場合、釣人は、スピニングリールＲ２からの釣糸Ｌを直接元上竿２の釣糸ガイド８へと導く。そして、通常の外通し竿と同様に釣竿を利用できる。
【００２１】
［他の実施形態］
（ａ）上記実施形態にあっては、元上竿２と元竿１とは相互に並継形式に連結しているが、これに限定されるものではない。相互に振出形式で連結することも可能である。この場合、釣糸ガイド８はいわゆるスライドガイドにする必要がある。
（ｂ）上記実施形態にあっては、元上竿２と元竿１とを１８０度変位させる態様での使用を例示しているが、使用態様はこれに限定されない。釣人は、元上竿２と元竿１との周方向位置を任意に設定し、釣糸ガイドを左右方向に向けながら釣りを行う等も可能である。
【００２２】
例えば、図４に示すように、リールシート５のリール脚載置面に対して直交する方向にスプール軸が位置するようにしてリールシート５に装着される、いわゆる「鳴門型リール」と呼ばれるようなリールＲ３を用いる場合にも、本発明は有用である。即ち、リールシート５に鳴門型リールＲ３を装着する場合には、元竿１はそのリールシート５側を左右方向の何れかに向けて配置される。一方、元上竿２は釣糸ガイド８を地面方向に向けた状態にして、元上竿２と元竿１とが並継形式で連結される。この場合、釣人は、鳴門型リールＲ３からの釣糸Ｌを第１釣糸導入孔６から元竿１内に導入し、第２釣糸導入孔７から元上竿２の釣糸ガイド８へと導く。
（ｃ）また、逆に、スピニングリールを用いつつ釣糸ガイドを上空方向に配置する釣竿の使用、両軸リールを用いつつ釣糸ガイドを上空方向に配置する釣竿の使用も可能である。
【００２３】
前者の場合、リールシートを地面方向にして元竿を配置し、釣糸ガイドを上空方向にして元上竿を配置し、スピニングリールからの釣糸を第１釣糸挿通孔，第２釣糸挿通孔を介して釣糸ガイドへと導く。後者の場合、リールシートを上空方向にして元竿を配置し、釣糸ガイドも上空方向にして元上竿を配置し、両軸リールからの釣糸を直接釣糸ガイドへと導く。
【００２４】
【発明の効果】
本発明の釣竿は、外通し竿でありながら、装着するリールの種類に関わらず、釣竿の使用態様を任意に設定できる。
【図面の簡単な説明】
【図１】本発明の第１実施形態を採用した釣竿の全体図。
【図２】両軸リールＲ１を装着した場合を示した図。
【図３】スピニングリールＲ２を装着した場合を示した図。
【図４】いわゆる鳴門型リールＲ３を装着した場合を示した図。
【符号の説明】
１  元竿
２  元上竿
６  第１釣糸挿通孔
７  第２釣糸挿通孔
Ｌ  釣糸
【図１】
2004173562.tif 000003
【図２】
2004173562.tif 000004
【図３】
2004173562.tif 000005
【図４】
2004173562.tif 000006